(57)【特許請求の範囲】
【請求項１】
２本１組の地経糸と、比較的に太い覆経糸と、同じく比較的に太いパイル経糸を配糸した経糸群を、上口と下口の地緯糸で織ったパイル織カーペットにおいて、前記２本１組の地経糸の一方または両方に、防炎性または熱融着性を有する機能性糸を同口に配糸したことを特徴とするパイル織カーペット。
【請求項２】
前記経糸群中の各地経糸は、前記パイル経糸並びに覆経糸と交互に、上口と下口を１本毎に繰り返す前記地緯糸で二越に織られていることを特徴とする請求項１記載のパイル織カーペット。
【請求項３】
前記経糸群中の各地経糸は、前記パイル経糸並びに覆経糸と交互に、前記地緯糸で三越に織られていることを特徴とする請求項１記載のパイル織カーペット。
【請求項４】
前記経糸群中のパイル経糸は、上口と下口を１本毎に繰り返す複数本の地緯糸毎にパイル部分と非パイル部分を互いに交互に形成して隣接する２口のパイル経糸からなり、各パイル経糸並びに覆経糸は、上記２口のパイル経糸の両側に配糸されて、パイル経糸の各パイルを前後で押さえる前後２本の上口地緯糸と１本の下口地緯糸にかかる２本１組の地経糸とともに織られていることを特徴とする請求項１記載のパイル織カーペット。
【発明の詳細な説明】
【０００１】
【発明が属する技術分野】
この発明は、地経糸と覆経糸とパイル経糸を配糸した経糸群を上口と下口の地緯糸で織成して、表面にパイルを形成したパイル織カーペットに関し、パイル経糸、地経糸とは別に、防炎性または熱融着性を有する機能性糸を配糸して、パイルを具えたカーペット地に所望の機能性を付与するようにしたことを特長とするものである。
【０００２】
【従来の技術】
地経糸と覆経糸とパイル経糸を有する経糸群を上口と下口の地緯糸で織成し、表面にパイルを形成したパイル織カーペットについては、例えば本出願人の先願に特許第２６５２２７２号がある。
また、この種のパイル織カーペットにおいて、防炎性または熱融着性を有する機能性糸を配糸して、パイル部分との間に所望の機能性を付与するようにしたものには、例えば同じく本出願人の先願に特開平９−１４３８４０号がある。
【０００３】
【発明が解決しようとする課題】
上記のようにパイル織カーペットに防炎性等の機能性を付与した後者特開平９−１４３８４０号のカーペットは、覆経糸と同口で、かつ、低いテンションのもとで供給される比較的に太い積層経糸に、防炎性または防ダニ性または消臭性または熱融着性を有する機能性糸を用いていたので、機能性を付与する糸が高価になるとともにカーペットもまた高価になる。
さらに、高価な機能性糸を低いテンションのもとで織ることになるので、カーペット地に付与したい機能の効果が限定されるなどの欠点があった。
【０００４】
そのためにこの種のパイル織カーペットにおいて、防炎性または熱融着性等の機能性を付与する場合のコストダウンができて、かつ、機能性付与の限定をできるだけ排除できるようにすることが解決すべき課題となっていた。
【０００５】
【課題を解決するための手段】
そこで本発明は、２本１組の地経糸と、比較的に太い覆経糸と、同じく比較的に太いパイル経糸を配糸した経糸群を、上口と下口の地緯糸で織ったパイル織カーペットにおいて、前記２本１組の地経糸の一方または両方に、防炎性または熱融着性を有する機能性糸を同口に配糸したことを特徴とするパイル織カーペットを提供するものである。
【０００６】
上記のようにして地経糸に防炎性または熱融着性を具えた機能性糸を、パイル経糸と共に配糸した本発明によれば、地経糸が本来有する特性である高いテンションのもとで機能性糸を織り込むことができるので、経済性とともに防炎性、熱融着性に優れたパイル織カーペットができる。
また、前記従前の太い積層経糸に機能性糸を採用していた場合に比べて、使用する糸のコストダウンもできる。
本発明は以上のようにして前記の課題を解決したものである。
【０００７】
なお、防炎性または熱融着性を有する機能性糸を配糸した経糸群中の各地経糸を、パイル糸並びに覆経糸と交互に、上口と下口を繰り返す地緯糸によって二越に織るかまたは三越に織れば、パイルの根元が上記カーペット地によってより緊締されて、上記した本発明の作用効果をよりいっそう高めたパイル織カーペットが得られる。
【０００８】
【実施例】
以下に本発明の実施例を図面について説明する。
図１に示す実施例１は、前記特許第２６５２７７２号のものと同様に織成して、裏面に形成される接地突起の間隔を粗密なく平均化したパイル織カーペットＫ１に本発明を適用した場合のものである。
【０００９】
実施例１において、パイル織カーペットＫ１は２本を１組とする地経糸１、２の間に、比較的に太い覆経糸と、交互にループ３’を形成する２本のパイル経糸３とを配糸した経糸群Ａと、比較的に太い地緯糸Ｂとで二越に織られており、機能性糸Ｃを、図示のように地経糸１、２に対して交互に同口に配糸することにより、ループ３’を形成する２本のパイル経糸３と覆経糸４の両側に沿って織り込まれる部分と、機能性糸Ｃを配糸されないでパイル経糸３と覆経糸４の両側が地経糸１、２のみで織られる部分とが交互に反復するように織られている。
【００１０】
図２（ｂ）に示す実施例２のカーペットＫ２は、同図（ａ）の糸支配図に従って、経糸群Ａ中の地経糸１、２をパイル経糸３並びに覆経糸４とを交互に、１本毎に上口と下口を繰り返す地緯糸Ｂで織った場合のもので、機能性糸Ｃは、図示のように一方の地経糸１と同口に配糸されている。なお、図中積層経糸Ｄの配糸をするかしないかは前述のように任意である。
【００１１】
図３（ｂ）に示す実施例３のカーペットＫ３は、同図（ａ）の糸支配図に従って、上記実施例２と同様に覆経糸４と同口に積層経糸Ｄを配糸し、経糸群Ａ中の地経糸１、２をパイル経糸３並びに覆経糸４とを交互に、１本毎に上口と下口を繰り返す地緯糸Ｂで二越に織った場合のもので、機能性糸Ｃは、実施例１と同様に地経糸１、２に対して交互に同口に配糸され、ループ３’を形成する２本のパイル経糸３と覆経糸４の両側に沿って織り込まれる部分と、機能性糸Ｃを配糸されないでパイル経糸３と覆経糸４の両側が地経糸１、２のみで織られる部分とが交互に反復するように織られている。
【００１２】
図４（ｂ）に示す実施例４のカーペットＫ４も、同図（ａ）の糸支配図に従って、パイル経糸３、覆経糸４並びに積層経糸Ｄとを交互に、経糸群Ａ中の地経糸１、２を、上口と下口を１本毎に繰り返す地緯糸Ｂにより三越に織って、パイル３’を形成した場合のものである。この実施例４においても、機能性糸Ｃは、実施例１と同様に地経糸１、２に対して交互に同口に配糸され、ループ３’を形成する２本のパイル経糸３と覆経糸４の両側に沿って織り込まれる部分と、機能性糸Ｃを配糸されないでパイル経糸３と覆経糸４の両側が地経糸１、２のみで織られる部分とが交互に反復するように織られている。
【００１３】
図５（ｂ）に示す実施例５のカーペットＫ５も、同図（ａ）の糸支配図に従って、隣接する２口のパイル経糸３に、１本毎に上口と下口を繰り返す６本の地緯糸Ｂ毎にパイル部分５と非パイル部分６を互いに交互に形成させた場合のものである。
この実施例５においても、機能性糸Ｃは、前記実施例１、３、４と同様に地経糸１、２に対して交互に同口に配糸され、ループ３’を形成する２本のパイル糸３と覆経糸４の両側に沿って織り込まれる部分と、機能性糸Ｃを配糸されないでパイル経糸３と覆経糸４の両側が地経糸１、２のみで織られる部分とが交互に反復するように織られている。
【００１４】
なお、上記した実施例２〜５においても、積層経糸Ｄの配糸をするかしないかは任意であることは言うまでもない。また、図２〜５の糸支配図（ａ）中、二重丸は地経糸１、２に機能性糸Ｃを同口に配糸することを示している。
【００１５】
本発明に採用する機能性糸Ｃは、地経糸の番手に準じて、所要の番手のものを使用することが望ましい。また、機能性糸Ｃの種類は、難燃性付与の場合、アラミド繊維糸、難燃ポリエステル糸、防炎羊毛糸などを用いることが望ましい。
【００１６】
例えば、パイル経糸３に有機栽培綿糸を、覆経糸４に黄麻糸を用い、地経糸１、２に防炎難燃性の機能性糸Ｃを同口に配糸すると、表面側の環境変化、例えば不測の接炎事故時に、難燃性機能性糸Ｃを織り込んだカーペット地によって熱変化が防止され、防炎性、難燃性に優れたパイル織カーペットを得ることができる。
【００１７】
なお、本発明の実施に際し、難燃性機能性糸Ｃを用いれば、防炎効果の高い安全なパイル織カーペットを得ることができる。また、熱融着性機能性糸Ｃを用いればパイルとの結合強化に役立ち、接着剤の使用なしにきわめて形状安定性に優れたパイル織カーペットを得ることができる。
【００１８】
なお、本発明に係るカーペットをカットパイルにすることなどは通常のパイル織りカーペットの場合と同様に任意である。
【００１９】
【発明の効果】
以上のようにして、地経糸群に、地経糸と、比較的に太い覆経糸と、同じく比較的に太いパイル経糸とともに機能性糸を配糸して、地緯糸を介してカーペット地に織り込むようにした本発明によれば、カーペット地本来の特性の中に、所望の防炎性機能または熱融着性機能を比較的に簡単に、かつ、安価に付与することができる。本発明には上記のようにきわめて優れた効果がある。
【図面の簡単な説明】
【図１】図１（ａ）は本発明の実施例１の織り組織図を示し、同図（ｂ）はＸ−Ｘ’矢視図を示す。
【図２】図２（ａ）は本発明の実施例２の糸支配図を示し、同図（ｂ）はＸ−Ｘ’矢視図を示す。
【図３】図３（ａ）は本発明の実施例３の糸支配図を示し、同図（ｂ）はＸ−Ｘ’矢視図を示す。
【図４】図４（ａ）は本発明の実施例４の糸支配図を示し、同図（ｂ）はＸ−Ｘ’矢視図を示す。
【図５】図５（ａ）は本発明の実施例５の糸支配図を示し、同図（ｂ）はＸ−Ｘ’矢視図を示す。
【符号の説明】
Ａ    経糸群
Ｂ    地緯糸
Ｃ    機能性糸
Ｄ    積層経糸
Ｋ（Ｋ１，２，３，４，５）    カーペット
１    地経糸
２    地経糸
３    パイル経糸
３’    ループ
４    覆経糸
５    ループ部分
６    非ループ部分
【図１】
0003894663.tif 000002
【図２】
0003894663.tif 000003
【図３】
0003894663.tif 000004
【図４】
0003894663.tif 000005
【図５】
0003894663.tif 000006